(57)【要約】      （修正有）【課題】商品を陳列するための棚板に傾斜角が設けられた棚であって、棚板の設置角度を容易に変更することを可能にするとともに、使用しない際にはコンパクトに収納することが可能な利便性の高い傾斜棚を提供する。【解決手段】商品を陳列するための傾斜棚１が、基部１０と、背板部２０と、該背板部に掛止部３０を介して着脱自在に掛止される棚板部４０と、からなり、前記掛止部は、背板接続部と、棚板接続部と、背板接続部と棚板接続部とを回動自在に接続する回転制御機構とからなり、掛止部は、棚板部の左右辺に一対固定接続され背板接続部が背板部に掛止する面に掛止突部が突設されるとともに、背板部は、左右辺に掛止孔が垂直方向一列に穿設されており、掛止突部を任意の掛止孔に挿入することによって棚板部を背板部に掛止固定し、回転制御機構は、棚板接続部の垂下方向への回転を抑制するワンウェイクラッチからなる構成である。【選択図】図１
0003221599.tif 000002
【実用新案登録請求の範囲】
【請求項１】
商品を陳列するための傾斜棚(1)が、
前記傾斜棚本体を支える基部(10)と、該基部に縦立される基部と同幅からなる背板部(20)と、該背板部に掛止部(30)を介して着脱自在に掛止される一または複数からなる棚板部(40)と、からなり、
前記掛止部(30)は、前記棚板部(40)を前記背板部(20)に対して水平にまたは角度を設けた状態で掛止するとともに不使用時には掛止を解除して垂下するように前記背板部(20)と前記棚板部(40)とを角度変更自在に接続するため、前記背板部に掛止接続する背板接続部(32)と、前記棚板部の左右辺に固定接続する棚板接続部(34)と、前記背板接続部と前記棚板接続部とを回動自在に接続する回転制御機構(36)とからなり、
前記掛止部(30)は、前記背板部(20)に着脱自在に掛止するため、前記棚板部(40)の左右辺に一対固定接続され、前記背板接続部(32)の前記背板部に掛止する面に掛止突部(38)が突設されるとともに、前記背板部(20)は、左右辺に一対の複数の掛止孔(22)が垂直方向一列に穿設されており、前記掛止突部(38)を任意の前記掛止孔(22)に挿入することによって、前記棚板部(40)を前記背板部(20)に掛止固定し、
前記回転制御機構(36)は、前記棚板接続部(34)が水平方向に回転付勢される際にはロック解除状態とすることにより前記棚板接続部(34)を水平方向へ回転させ、前記棚板接続部(34)が垂下方向へ回転付勢される際にはロック状態とすることにより前記棚板接続部(34)の垂下方向への回転を抑制するワンウェイクラッチからなることを特徴とする傾斜棚。
【請求項２】
前記基部(10)は、水平棚板(12)を着脱自在に載置したことを特徴とする請求項１記載の傾斜棚。
【請求項３】
前記棚板部(40)は、傾斜棚(1)の収納時に回転収納可能な欄干ストッパー(42)を設けたことを特徴とする請求項１記載の傾斜棚。
【考案の詳細な説明】
【技術分野】
【０００１】
本考案は、商品を陳列するために水平に設けられる棚板に傾斜角が設けられた棚に関し、特に、棚板の設置角度を容易に変更することを可能にするとともに、使用しない際にはコンパクトに収納することが可能となる利便性の高い傾斜棚に関する。
【背景技術】
【０００２】
従来より、商品を陳列するための多段からなる棚が存在しており、様々な形状・機能を有する棚が開発され、使用されている。特に、中元や歳暮、祝い事などで求められる贈答品を陳列する場合に、商品を豪華で綺麗にかつ見やすく陳列することが要求されるため、棚板に傾斜角を設けて商品の見栄えを良くする構造を有する商品陳列用の傾斜棚が開発されている。
【０００３】
傾斜棚は、通常、予め棚板に傾斜角が設けられた状態で背板に固定される構造となっているため、棚板を外す作業を行わないと棚の収納時に嵩張ることとなり、収納スペースの確保が困難で収納しづらいという問題点があった。特に、傾斜棚は、中元や歳暮など、使用する時期が限定されているため、使用しない時期の取り扱いに困るという問題を抱えていた。
【０００４】
また、この傾斜棚を中元や歳暮以外の他の用途に利用する場合、棚板の設置角を変更したり設置数を変更したりする必要があったが、棚板の設置角が固定されていることから、角度の異なる棚板を新たに設置する作業が発生するという問題点があった。更に、棚板の設置高の変更も繁雑となるという問題点も内在していた。
【０００５】
商品を陳列するための棚に関する技術としては、特開２０１５−１９６０２４号公報が存在する。ここでは、左右の支柱に取付けられる各ブラケットにより棚部材が支持される商品陳列棚であって、商品載置面がブラケットに対して傾斜した第１の形態や商品載置面がブラケットに対して平行となる第２の形態を選択可能な商品陳列棚が開示されている。この技術により、商品を載置する商品載置面の角度調節を簡便に行うことが可能となり、商品が客から見やすくできる旨が開示されている。
【０００６】
確かにこの技術によれば、商品を載置する商品載置面の角度調節が容易となるが、任意の角度に変更することが困難であるとともに、収納時にはやはり棚板を外す必要があり、商品の陳列の容易さおよび棚の収納の簡便さを兼ね備えた棚とは言えなかった。
【０００７】
商品を陳列するための傾斜棚は、陳列する商品に応じて容易に棚の角度や数を変更可能であることが望ましい。また、シーズンものなど利用しない時期がある場合には、コンパクトに収納可能であることが望ましい。このような問題点を解消した、使い勝手がよく収納も容易な利便性の高い傾斜棚の開発が待たれていた。
【先行技術文献】
【特許文献】
【０００８】
【特許文献１】特開２０１５−１９６０２４号公報
【考案の開示】
【考案が解決しようとする課題】
【０００９】
本考案は、商品を陳列するための棚板に傾斜角が設けられた棚であって、棚板の設置角度を容易に変更することを可能にするとともに、使用しない際にはコンパクトに収納することが可能な利便性の高い傾斜棚を提供することを目的とする。
【課題を解決するための手段】
【００１０】
上記の目的を達成するために本考案に係る傾斜棚は、商品を陳列するための傾斜棚が、前記傾斜棚本体を支える基部と、該基部に縦立される基部と同幅からなる背板部と、該背板部に掛止部を介して着脱自在に掛止される一または複数からなる棚板部と、からなり、前記掛止部は、前記棚板部を前記背板部に対して水平にまたは角度を設けた状態で掛止するとともに不使用時には掛止を解除して垂下するように前記背板部と前記棚板部とを角度変更自在に接続するため、前記背板部に掛止接続する背板接続部と、前記棚板部の左右辺に固定接続する棚板接続部と、前記背板接続部と前記棚板接続部とを回動自在に接続する回転制御機構とからなり、前記掛止部は、前記背板部に着脱自在に掛止するため、前記棚板部の左右辺に一対固定接続され、前記背板接続部の前記背板部に掛止する面に掛止突部が突設されるとともに、前記背板部は、左右辺に一対の複数の掛止孔が垂直方向一列に穿設されており、前記掛止突部を任意の前記掛止孔に挿入することによって、前記棚板部を前記背板部に掛止固定し、前記回転制御機構は、前記棚板接続部が水平方向に回転付勢される際にはロック解除状態とすることにより前記棚板接続部を水平方向へ回転させ、前記棚板接続部が垂下方向へ回転付勢される際にはロック状態とすることにより前記棚板接続部の垂下方向への回転を抑制するワンウェイクラッチからなる構成である。
【００１１】
また、前記基部は、水平棚板を着脱自在に載置した構成である。
更に、前記棚板部は、傾斜棚の収納時に回転収納可能な欄干ストッパーを設けた構成である。
【考案の効果】
【００１２】
本考案は、上記詳述した通りの構成であるので、以下のような効果を奏する。
１．棚板部と背板部とを掛止部を介して接続するとともに、掛止部に回転制御機構を設けたため、棚板部の設置角度を容易に変更することが可能となる。また、掛止部を背板部の掛止孔に掛止固定可能な構造としたため、棚板の設置高を任意に選択することが可能となる。
２．基部の水平棚板を着脱自在としたため、水平棚板を陳列に用いることが可能になるともに、傾斜棚の収納時に水平棚を取り外してコンパクトに収納することが可能となる。
【００１３】
３．欄干ストッパーを傾斜棚の収納時に回転収納可能としたため、傾斜棚の使用時には、傾斜角を設けた棚板部から商品が落下することを防止するとともに、傾斜棚の収納時には、欄干ストッパーを回転させて収納可能となり、収納時の棚板部をすっきりとさせることが可能となる。
【考案を実施するための最良の形態】
【００１４】
以下、本考案に係る傾斜棚を、図面に示す実施例に基づいて詳細に説明する。
図１は、本考案に係る傾斜棚の斜視図であり、図２は、棚板部の平面図である。図３は、掛止部の側面図である。
【００１５】
本考案の傾斜棚１は、図１に示すように、基部１０と、背板部２０と、掛止部３０と、棚板部４０とからなり、棚板部４０を角度調整自在に設置可能とするとともに、容易に取り外し可能とした、商品の陳列のしやすさと収納の容易さを両立させた利便性の高い傾斜棚である。
【００１６】
基部１０は、傾斜棚１本体を支える基礎となる支持脚部であり、本実施例では、図１に示すように、２本の縦に平行な棒状部材を１本の横の棒状部材で連結したＨ字型からなるとともに、該棒状部材の両端下部に車輪を付けた構成からなるが、この形状に限定されることはない。
【００１７】
背板部２０は、基部１０に縦立して後述の棚板部４０を支持するための部材である。背板部２０は、本実施例では、図１に示すように、基部１０の平行な棒状部材に一対の棒状部材を垂直に立設したうえで、それらの上端を棒状部材で連結するとともに、これらの棒状部材で囲われた四角形を形成する空間部分に板状部材を嵌設した構成からなり、基部１０と同幅からなる構成であるが、この構成に限定されることはなく、板状部材を設置しない構成や、背板部２０全体を他の形状とすることも可能である。
【００１８】
棚板部４０は、商品を載置して陳列するための部材であり、背板部２０に一または複数の棚板部４０が設置される。棚板部４０には、本実施例では、図２に示すように、掛止部３０が固定設置されており、図１に示すように、背板部２０に掛止部３０を介して着脱自在に掛止される構成である。
【００１９】
掛止部３０は、背板部２０と棚板部４０とを角度変更自在に接続するために用いられる接続部材であり、本実施例では、図３に示すように、背板接続部３２と、棚板接続部３４と、回転制御機構３６とからなる。背板接続部３２は、背板部２０に掛止接続する部分であり、本実施例では、後述するように背板部２０の縦の棒状部材に掛止するための鍵状部材からなる掛止突部３８が設けられており、掛止部３０の背板部接続面に該鍵状部材からなる掛止突部３８が複数突設されている構成である。
【００２０】
棚板接続部３４は、棚板部４０を固定支持する部分であり、棚板部４０の左右辺端部に固定接続する構成である。本実施例では、棚板部４０の左右辺の端部に取付用のダボ穴が複数穿設され、棚板接続部３４に突設される突起体が該ダボ穴に嵌合することで固定接続される構成である。
【００２１】
回転制御機構３６は、背板接続部３２と棚板接続部３４との間に設けられる装備であり、背板接続部３２と棚板接続部３４とを回動自在に接続する機構である。本実施例では、回転制御機構３６は一定の角度に固定することが可能な構造となっており、棚板接続部３４を任意の角度に固定保持して棚板部４０に傾斜角を設けて固定設置することが可能な構造である。回転制御機構３６の詳細については、後述する。
【００２２】
掛止部３０を、上記のような構造とすることにより、棚板部４０を背板部２０に対して水平にまたは角度を設けた状態で掛止することが可能となり、また傾斜棚１を使用しない時には掛止部３０による掛止を解除して棚板部４０を垂下することで傾斜棚１をコンパクトに収納することが可能となる。
【００２３】
次に、掛止部３０と背板部２０の接続構造について説明する。図１に示すように、掛止部３０は、本実施例では、前述のように、棚板部４０の左右辺の端部それぞれに一対固定接続される。また、背板接続部３２の背板部２０に掛止される面には、掛止突部３８が突設される。掛止突部３８は、図３に示すように、鍵状部材からなり、この鍵状部材が背板部２０の縦の棒状部材に掛止する。
【００２４】
背板部２０は、図１に示すように、左右辺に一対の複数からなる掛止孔２２が垂直方向一列に穿設される構成である。掛止孔２２は、鍵状部材からなる掛止突部３８が掛止するための孔であり、本実施例では、基部１０に垂直に立設された左右一対の棒状部材の前面に縦一列に複数の掛止孔２２が穿設された構成からなり、任意の掛止孔２２に掛止突部３８を挿入嵌設することにより、棚板部４０を掛止部３０を介して背板部２０に掛止固定する。これにより、棚板部４０を所望する高さに設置することが可能となるともに、図１に示すように掛止部３０が接続された背板部２０の設置位置や設置数を適宜設定することが可能となる。以上の構造とすることにより、棚板部４０を、掛止部３０を介して背板部２０に着脱自在に掛止させて設置することが可能となる。
【００２５】
回転制御機構３６は、本実施例では、ワンウェイクラッチからなる構成である。ワンウェイクラッチ構造を採用することで、垂下された棚板接続部３４を水平方向に回転付勢する際に、回転制御機構３６のロックが解除された状態とすることにより、棚板接続部３４を水平方向へ回転することが可能となり、逆に、棚板接続部３４を垂下方向へ回転付勢する際に、回転制御機構３６がロックされた状態とすることにより、棚板接続部３４の垂下方向への回転を抑制することが可能となる。この構成とすることにより、背板部２０が任意の角度で固定することが可能になる。
【００２６】
本実施例では、棚板部４０の背板部側端部に突条の棚板水平ストッパー（図示せず）が設けられる構成である。棚板水平ストッパーは、棚板部４０を掛止部３０の回転によって回転させた際に水平位置で停止させるための停止用部材であり、掛止部３０の背板部側に接触することによって棚板部４０の回転が停止する構成である。このストッパーにより、棚板部４０が水平を超える高さまで回転することを防止することが可能となる。
【００２７】
なお、棚板水平ストッパーは、本実施例では押圧によって掛止部３０との接触を解除することが出来る構成である。棚板水平ストッパーの押圧による接触解除により、棚板部４０は更に水平より上に回転する。このとき、ワンウェイクラッチからなる回転制御機構３６のロック動作が解除され、棚板部４０を垂直方向へ垂下することが可能となる。これにより、棚板部４０の角度を何度でも調整することが可能になるとともに、傾斜棚１の収納時に傾斜棚１をコンパクトにすることが可能となる。
【００２８】
基部１０は、本実施例では、図１に示すように、水平棚板１２を着脱自在に載置した構成である。水平棚板１２は、本実施例では、棚板部４０の下に設置に設置される構成であり、これにより最下段の棚を構成する。この構成とすることにより、水平棚板１２を最下段の陳列棚として利用することが可能になるともに、傾斜棚１の収納時には、水平棚板１２を取り外してコンパクトに収納することが可能となる。
【００２９】
なお、本実施例では、水平棚板１２には、フック部材（図示せず）が設置されている。傾斜棚１の収納時には、水平棚板１２を取り外すとともに、該フック部材によって背板部２０の上端に掛止することが可能となる。これにより、傾斜棚１の収納時には、水平棚板１２をコンパクトに収納することが可能となる。
【００３０】
棚板部４０は、図１および図３に示すように、欄干ストッパー４２を設置する構成である。欄干ストッパー４２は、棚板部４０を角度を付けて設置した際に、商品が落下しないように安定させて陳列するための商品落下防止用のストッパーである。本実施例では、欄干ストッパー４２は回転収納可能な構成となっている。この構成とすることにより、商品陳列時に商品が落下することを防止可能になるとともに、傾斜棚１の収納時には、欄干ストッパー４２を回転収納させて、コンパクトな収納を実現することが可能となる。
【００３１】
なお、本実施例では、棚板部４０の欄干ストッパー４２設置部分近傍に設置されたダボピン（図示せず）の押圧によって、欄干ストッパー４２の固定停止および回転収納を制御することが可能な構成となっている。
【図面の簡単な説明】
【００３２】
【図１】本考案に係る傾斜棚の斜視図
【図２】棚板部の平面図
【図３】掛止部の側面図
【符号の説明】
【００３３】
１    傾斜棚
１０    基部
１２    水平棚板
２０    背板部
２２    掛止孔
３０    掛止部
３２    背板接続部
３４    棚板接続部
３６    回転制御機構
３８    掛止突部
４０    棚板部
４２    欄干ストッパー
【図１】
0003221599.tif 000003
【図２】
0003221599.tif 000004
【図３】
0003221599.tif 000005